(57)【要約】      （修正有）【課題】ランニングコストを抑えたシートを利用した循環式平型乾燥機を提供する。 【解決手段】送風機２の周辺に循環口５ａと吸気口５ｂを備えた箱体５を配置し、箱体５は二つの開口を備え、一方の開口部である循環口５ａは枠体８を介してシート７と連通され、もう一方の開口部である吸気口５ｂはダンパー６を備えている。シート７は一個、乃至、複数個のバスケット１を覆う構成とし、枠体８は二つの開口を備え、一方の開口部は循環口５ａに連通して箱体５に固定され、もう一方の開口部は筒状の排気ダクト９を備え、ダンパー６の開閉量を調整することにより余剰熱を再利用しながら湿り空気の排気も行う事が可能な乾燥が可能となり、ランニングコストの向上にもつながる。また、枠体８のシート７側にはシート保護枠１０を備え、送風機２の吸引力によるシート７の吸い付きを防止することで送風機２の能力低下を防止している。また、バスケット１を使用せず、多段フレームを使用することで通気性が向上し、生薬などの乾燥時間を短縮することが可能となる。【選択図】図２
0003201186.tif 000002
【実用新案登録請求の範囲】
【請求項１】
生薬や野菜の葉や茎・根の乾燥で一方向の送風を行う平型乾燥機において、送風機２の周辺に循環口5aと吸気口5bを備えた箱体５を配置し、前記箱体５は二つの開口を備え、一方の開口部である循環口5aは枠体８を介してシート７と連通され、もう一方の開口部である吸気口5bはダンパー６を備え、前記シート７は一個、乃至、複数個のバスケット１を覆う構成とし、前記枠体８は二つの開口を備え、一方の開口部は前記循環口5aに連通して前記箱体５に固定され、もう一方の開口部は筒状の排気ダクト９を備えたことを特徴とするシートを利用した循環式平型乾燥機。
【請求項２】
前記枠体８の前記シート７側は複数からなる突起したフレーム状のシート保護枠10を備え、前記送風機２の吸引力による前記シート７の吸い付きを防止することで送風機２の能力低下を防止することを特徴とする請求項１記載のシートを利用した循環式平型乾燥機。
【請求項３】
前記シート７に覆われた前記バスケット１を多段式フレーム11に変更したことを特徴とする請求項１、乃至、請求項２記載のシートを利用した循環式平型乾燥機。
【考案の詳細な説明】
【技術分野】
【０００１】
本考案は、平型乾燥装機において、循環式に変更可能な、シートを利用した循環式平型乾燥機に関する。
【背景技術】
【０００２】
従来、生薬や野菜の葉や茎・根、例えば、生薬のセンキュウなどは長期保存のために乾燥の必要があり、センキュウをせいろうやネットに入れ天日干しを行っていた。また近年ではセンキュウをバスケットに入れ底面の多孔面より温風を吹き付けて乾燥する一方送風の平型乾燥機を使用する方法が一般的となってきている。
【考案の概要】
【考案が解決しようとする課題】
【０００３】
生薬や野菜の葉や茎・根、例えば、生薬のセンキュウなどは長期保存のために乾燥する方法として、一方送風の平型乾燥機が一般的であるが、平型乾燥機Ｋの乾燥方法は、センキュウＳをバスケット１に入れ、送風機２により送られた新鮮空気Ａ1を熱源４（例えばバーナー）から得られた熱で熱交換器３を通過させ温風Ａ2とし、前記温風Ａ2をバスケット１下方に送り込み、バスケット１底面の多孔面（図示しない）より吹き出し一方向の送風による乾燥を行う。
但し、バーナーから発生した燃焼ガスＮはセンキュウＳに直接接触すると支障をきためすため、熱交換器３の内管を通過後、屋外に排出される。  乾燥に使用された前記温風Ａ2は被乾燥物であるセンキュウＳの隙間を通過後湿り空気Ａ3と共に前記温風Ａ2に含まれる余剰熱Ｒを含む空気が排出されるが、この状態においては、湿り度のあがった温風となっているため、このまま外部に排出した場合、熱源４の利用効率が悪くなりランニングコスト悪化の原因ともなっている。
【課題を解決するための手段】
【０００４】
平型乾燥機Ｋの乾燥方法は、生薬や野菜の葉や茎・根、例えば、生薬のセンキュウＳなどをバスケット１に入れ、送風機２により送られた新鮮空気Ａ1を熱源４（例えばバーナー）から得られた熱で熱交換器３を通過させ温風Ａ2とし、前記温風Ａ2をバスケット１下方に送り込み、多孔に加工されたバスケット１底面より吹き出し一方向の送風による乾燥を行う。乾燥に使用された前記温風Ａ2は被乾燥物の隙間を通過後湿り空気Ａ3と共に前記温風Ａ2に含まれる余剰熱Ｒを含む空気が排出されるが、この状態においては、湿り度のあがった温風となっているため、このまま外部に排出した場合、熱源４の利用効率が悪くなりランニングコスト悪化の原因ともなっている。
本考案は前記温風Ａ2に含まれる前記余剰熱Ｒを利用するものであり、平型乾燥機Ｋにおいて送風機２の周辺に循環口5aと吸気口5bを備えた箱体５を配置し、バスケット１をシート７で覆う構成とし、前記シート７の上部は開口を備え二つの開口を備えた枠体８に固定され、前記枠体８は一方の開口部と箱体５の開口部である循環口5aが連通するよう箱体５に固定され、もう一方の開口部は筒状の排気ダクト９が連通する構成とし、前記吸気口5bにはダンパー６を備え、前記ダンパー６の開閉量の調整により前記新鮮空気Ａ1と前記余剰熱Ｒを含む空気は送風機２に吸い込まれ、前記熱交換器３を介し温風Ａ2としてバスケット１底面の多孔面よりセンキュウＳに吹き付ける循環式となり、前記余剰熱Ｒを再利用可能な乾燥機となり、熱利用率の改善ができ、ランニングコストの低減にもつながる。また、バスケット1は単段のみならず、複数段積み上げて使用することも可能である。
【考案の効果】
【０００５】
生薬や野菜の葉や茎・根、例えば、生薬のセンキュウなどは長期保存のため平型乾燥機で乾燥されることが多く、平型乾燥機Ｋの乾燥においては一方向の送風による乾燥を行うため湿り空気Ａ3と共に余剰熱Ｒも排出していることから熱源４の効率が悪くなりランニングコスト悪化の原因ともなっている。
本考案は、前記平型乾燥機Ｋにおいて、バスケット１をシート７で覆い、送風機２を箱体５で覆い、シート７と箱体５を連通することで熱交換器３を使用して熱源４（例えばバーナー）から得られた熱の余剰熱Ｒを再利用しながら乾燥も行うため、熱利用効率の改善ができ、ランニングコストの低減にもつながるという効果を有する。
【図面の簡単な説明】
【０００６】
【図１】は平型乾燥機の全体図を示す。
【図２】は本考案の実施の形態に係るシートを利用した循環式平型乾燥機の全体図を示す。
【図３】は本考案の実施の形態に係るシートを利用した循環式平型乾燥機のシートの詳細図を示す。
【図４】は本考案の実施の形態に係るシートを利用した循環式平型乾燥機のシート保護枠の詳細図を示す。
【図５】は平型乾燥機の断面図であり空気の流れを示す。
【図６】は本考案の実施の形態に係るシートを利用した循環式平型乾燥機の断面図であり空気の流れを示す。
【図７】は本考案の実施の形態に係るシートを利用した循環式平型乾燥機の多段式フレームの詳細図を示す。図１に示す平型乾燥機Ｋは、送風機２により送られた空気Ａ1を熱源４（例えばバーナー）から得られた熱で熱交換器３を通過させ温風Ａ2とし、前記温風Ａ2をバスケット１下方に送り込み、バスケット１底面の多孔面より吹き出し、生薬や野菜の葉や茎・根、例えば、生薬のセンキュウＳに含まれる水分の蒸発潜熱を奪うことで乾燥が行われるが、一度に全て蒸発潜熱を奪い取ることはできず、余剰熱Ｒも排出してしまう。図２に示す本考案の実施の形態に係るシートを利用した循環式平型乾燥機Ｊは、図１に示す平型乾燥機Ｋにおいて送風機２の周辺に循環口5aと吸気口5bを備えた箱体５と、バスケット１を安価なシート７で覆い連通することで、センキュウＳの乾燥に使用する余剰熱Ｒを再度送風機２に吸い込み可能とする事で再利用可能な構成としている。  但し、シート７は二つの開口を備えた枠体８に固定され、前記枠体８は一方の開口部と箱体５の開口部である循環口5aが連通するよう箱体５に固定され、もう一方の開口部は筒状の排気ダクト９が連通する構成とし前記吸気口5bにはダンパー６を備え、前記ダンパー６の開閉量の調整により送風機２で吸い込まれる新鮮空気Ａ1の量と同量の湿り空気Ａ3が排出される。図３に示す本考案の実施の形態に係るシートを利用した循環式平型乾燥機のシート７は平型乾燥機Ｋにおいてバスケット１を覆うことで、余剰熱Ｒを再利用できる、という効果を有する。図４に示す本考案の実施の形態に係るシートを利用した循環式平型乾燥機のシート保護枠10は送風機２の吸引力によるシート７の吸い付きを防止することで送風機２の能力低下を防止している。図５は平型乾燥機の断面図であり空気の流れを示す。図６は本考案の実施の形態に係るシートを利用した循環式平型乾燥機の断面図であり空気の流れを示す。図７に示す本考案の実施の形態に係るシートを利用した循環式平型乾燥機の多段式フレーム11はバスケットを使用し２段乃至３段にて乾燥する場合１段分に入れるセンキュウＳの量は大量になってしまう為、通風の精度は低下しがちとなる。  そこで、数段の多段式フレーム11にせしろうや網等を使用してセンキュウＳを並べる事で通風が良くなり、バスケットで処理する場合と比べ乾燥時間を短縮することが可能となる。
【考案を実施するための形態】
【０００７】
図２に示す本考案の実施の形態に係るシートを利用した循環式平型乾燥機Ｊは、図１に示す平型乾燥機Ｋにおいて送風機２の周辺を箱体５と、バスケット１をシート７で覆い連通することで再度送風機２の吸い込みにより余剰熱を循環再利用可能な構成としている。
図４に示す本考案の実施の形態に係るシートを利用した循環式平型乾燥機のシート保護枠10は送風機２の吸引力によるシート７の吸い付きを防止することで送風機２の能力低下を防止している。
図６は本考案の実施の形態に係るシートを利用した循環式平型乾燥機の断面図であり空気の流れを示したものである。
図７に示す本考案の実施の形態に係るシートを利用した循環式平型乾燥機の多段式フレーム11はバスケット１を使用しない場合の交換部品であり、複数段の多段式フレーム11にせしろうやネット等を使用して生薬や野菜の葉や茎・根、例えば、生薬のセンキュウＳを並べる事で通風が良くなり、バスケットで処理する場合と比べ乾燥時間を短縮することが可能となる。且つ、また、せいろうやネットを使用せず、ステッキ（吊り具）等を利用することで生薬や野菜の葉や茎・根、例えば、生薬の蘇葉などを数段に吊るし乾燥することが可能となり乾燥時間の短縮にもつながる上、乾燥方法の仕上がりにも幅が広がるというメリットがある。
【実施例】
【０００８】
図２は本考案の実施の形態に係るシートを利用した循環式平型乾燥機Ｊの実施例であり全体図を示す。  また、図１は汎用の平型乾燥機Ｋの実施例であり全体図を示す。  平型乾燥機Ｋにおいて送風機２の周辺に循環口5aと吸気口5bを備えた箱体５を配置し、二段積みしたバスケット１をシート７で覆う構成とし、前記シート７の上部は開口を備え２つの開口を備えた枠体８に固定され、前記枠体８は一方の開口部と箱体５の開口部である循環口5aが連通するよう箱体５に固定され、前記枠体８のもう一方の開口部は筒状の排気ダクト９が連通する構成としている。  尚、前記シート７は前記バスケット１を覆い易くするためにファスナーで開閉できる構成とした。    また、吸気口5bにはダンパー６を備えており、ダンパー６の開閉量の調整により新鮮空気Ａ1の供給量の調整が行えると共に同等量の湿り空気Ａ3が排気ダクト９より排出される。  また、枠体８のシート７側にはシート保護枠10を備え、送風機２の吸引力によるシート７の吸い付きを防止することで送風機２の能力低下を防止している。  また、本機の構成においてバスケット１を多段式フレーム11（例えば、7段フレーム２列にて実施）に変更することでセンキュウＳをせいろうに並べる事で通風が良くなり、バスケット１を使用して乾燥する場合と比べ乾燥時間を短縮することが可能となる。

【符号の説明】
【０００９】
Ｋ……平型乾燥機
Ｊ……シートを利用した循環式平型乾燥機
Ｓ……センキュウ
１……バスケット
２……送風機
３……熱交換器
４……熱源（バーナー）
５……箱体
5a……循環口
5b……吸気口
６……ダンパー
７……シート
８……枠体
９……排気ダクト
10……シート保護枠
11……多段式フレーム
Ａ1 …新鮮空気
Ａ2 …温風
Ａ3 …湿り空気
Ｎ……燃焼ガス
Ｒ……余剰熱
【図１】
0003201186.tif 000003
【図２】
0003201186.tif 000004
【図３】
0003201186.tif 000005
【図４】
0003201186.tif 000006
【図５】
0003201186.tif 000007
【図６】
0003201186.tif 000008
【図７】
0003201186.tif 000009